(57)【要約】【課題】  撮影位置や撮影対象等の自由度を高めることができる資料提示装置を提供する。【解決手段】  資料提示装置１００によれば、カメラ１によって撮像された撮像情報だけでなく、デジタルカメラ３００によって撮像されて情報入力部２に入力された映像情報も、リアルタイムで画像として表示することができる。このとき、デジタルカメラ３００は、カメラ１に比べ移動範囲が広いので、プレゼンテーションや会議等において、撮影位置や撮影対象等の自由度を高めることが可能となる。つまり、利用者は、カメラ１と共に、カメラ１よりもハンドリングの自由度がデジタルカメラ３００を用いて、その場で最適な映像情報を取得し、効果的なプレゼンテーションを容易に実現することができる。【選択図】  図１
2010245690.tif 000002
【特許請求の範囲】
【請求項１】
資料を撮像する撮像部と、
資料出力装置から資料情報が入力される情報入力部と、
前記撮像部によって撮像された撮像情報及び前記情報入力部に入力された前記資料情報の少なくとも一方に所定の処理を施す画像処理部と、
前記画像処理部によって処理された画像を表示する表示部と、を備えることを特徴とする資料提示装置。
【請求項２】
前記資料出力装置はデジタルカメラであり、前記情報入力部には、前記デジタルカメラによって撮像された映像情報が前記資料情報として入力されることを特徴とする請求項１記載の資料提示装置。
【請求項３】
前記情報入力部には、前記資料情報がリアルタイムで入力されることを特徴とする請求項１又は２記載の資料提示装置。
【請求項４】
前記画像処理部は、前記所定の処理として、記録部に記憶されていた記録情報と前記資料情報とを並列させることを特徴とする請求項１〜３のいずれか一項記載の資料提示装置。
【請求項５】
前記画像処理部は、前記所定の処理として、記録部に記憶されていた記録情報と前記資料情報とを重畳させることを特徴とする請求項１〜３のいずれか一項記載の資料提示装置。
【発明の詳細な説明】
【技術分野】
【０００１】
本発明は、例えば会議等において資料を提示するための資料提示装置に関する。
【背景技術】
【０００２】
近年、プレゼンテーションや会議等においては、パーソナルコンピュータ（以下、「パソコン」という）に記憶されている文字や図表等を、プロジェクタを用いてスクリーン上に拡大して投影することが行われている。同時に、プロジェクタの使用に際して、書画原稿（新聞、雑誌の記事、プレゼンテーション用紙等）や立体資料等を投影する場合には、いわゆる書画カメラによってそれらの資料を撮影し、その画像データをパソコンに入力したり、或いはプロジェクタに直接入力したりすることが行われる（例えば、特許文献１，２参照）。
【先行技術文献】
【特許文献】
【０００３】
【特許文献１】特開２００５−１４３０９１号公報
【特許文献２】特開２００５−１４３０９２号公報
【発明の概要】
【発明が解決しようとする課題】
【０００４】
しかしながら、書画カメラには、据置きタイプであるがために、撮影位置や撮影対象等が制限されるという問題がある。
【０００５】
本発明は、このような事情に鑑みてなされたものであり、撮影位置や撮影対象等の自由度を高めることができる資料提示装置を提供することを目的とする。
【課題を解決するための手段】
【０００６】
上記目的を達成するために、本発明に係る資料提示装置は、資料を撮像する撮像部と、資料出力装置から資料情報が入力される情報入力部と、撮像部によって撮像された撮像情報及び情報入力部に入力された資料情報の少なくとも一方に所定の処理を施す画像処理部と、画像処理部によって処理された画像を表示する表示部と、を備えることを特徴とする。そして、資料出力装置はデジタルカメラであり、情報入力部には、デジタルカメラによって撮像された映像情報が資料情報として入力されることが好ましい。
【０００７】
この資料提示装置によれば、撮像部によって撮像された撮像情報だけでなく、情報入力部に入力された資料情報（好ましくは、デジタルカメラによって撮像された映像情報）も表示することができる。このとき、資料出力装置は、撮像部に比べ移動範囲が広くなるので、撮影位置や撮影対象等の自由度を高めることが可能となる。なお、デジタルカメラとは、映像をデジタル化して記録するデジタルスチールカメラ（静止画用）を意味する。
【０００８】
本発明に係る資料提示装置においては、情報入力部には、映像情報がリアルタイムで入力されることが好ましい。この場合、プレゼンテーションや会議等において、その場で映像情報を取得することが可能となる。
【０００９】
本発明に係る資料提示装置においては、画像処理部は、所定の処理として、記録部に記憶されていた記録情報と資料情報とを並列させたり、或いは記録部に記憶されていた記録情報と資料情報とを重畳させたりすることが好ましい。これらの場合、プレゼンテーションや会議等において、記録部に記憶されていた記録情報と資料情報とを比較することが可能となる。
【発明の効果】
【００１０】
本発明によれば、撮影位置や撮影対象等の自由度を高めることができる。
【図面の簡単な説明】
【００１１】
【図１】本実施形態に係る資料提示装置のブロック構成図である。
【図２】資料提示装置の斜視図である。
【図３】資料提示装置の斜視図、側面図、及び拡大図である。
【図４】ディスプレイに対する指示を入力する様子を示した図である。
【図５】資料提示装置とプロジェクタとを接続した様子を示した図である。
【図６】画像処理部の機能ブロック構成図である。
【発明を実施するための形態】
【００１２】
以下、本発明に係る資料提示装置の好適な実施形態について、図面を参照して詳細に説明する。なお、各図において同一又は相当部分には同一符号を付し、重複する説明を省略する。
【００１３】
図１は、本実施形態に係る資料提示装置１００のブロック構成図である。また、図２（ａ）は、資料提示装置１００を使用可能にセッティングした状態を示す斜視図であり、図２（ｂ）は、図２（ａ）とは異なる方向から見た場合の斜視図である。また、図３（ａ）は、資料提示装置１００を収納した状態を示す斜視図であり、図３（ｂ）は、図３（ａ）の収納状態において資料提示装置１００と指示入力装置（例えば、パソコン）とを接続した状態における資料提示装置１００の側面図であり、図３（ｃ）は、図３（ｂ）の収納状態における電源スイッチＳＷ及び電源ソケットＥＳ近傍の拡大図である。また、図４は、例えば入力用ペン６０を用いて、ディスプレイ３に対する指示を入力する様子を示した図である。また、図５は、資料提示装置１００とプロジェクタ２００とを接続し、撮像情報をスクリーン２１０等の被投射領域（すなわち、投射される領域）に映し出す様子を示した図である。なお、資料提示装置１００は、例えば会議等において資料を提示するための装置である。
【００１４】
資料提示装置１００は、機能的な構成要素として、カメラ（撮像部）１、情報入力部２、ディスプレイ（表示部）３、切替部４、タッチパネル５、重畳部６、操作部７、情報出力部８、画像処理部９、記録部１０、編集部１１、音声入力部１２、音声出力部１３、制御部１６、及び投射部１７を備えている。
【００１５】
カメラ１は、資料を撮像することができるカメラである。カメラ１は、図２（ａ）及び（ｂ）に示すように、カメラアーム１Ｂの一端と、回転軸（図示せず）を中心として回転可能に接続されている。このため、カメラ１をこの回転軸を中心として回転させることにより、装置１００の周囲の撮影が可能となる。また、カメラアーム１Ｂの他端は、カメラアーム１Ｃの一端と、回転軸１Ｄを中心として回転可能に接続されている。更に、カメラアーム１Ｃの他端は、資料提示装置１００の支持台と、回転軸１Ｅを中心として回転可能に接続されている。資料提示装置１００の支持台は、資料提示装置１００の筐体１８の側壁１８Ａと接続されている。なお、筐体１８は、ディスプレイ３やカメラ１を有している。カメラ１は、フォーカスリング１Ａを有しており、このリングを回転することにより、資料を撮像する際のピントを合わせることができる。更に、カメラアーム１Ｂ及び１Ｃ各々を上記の回転軸を中心として回転させて、カメラアーム１Ｂと、資料提示装置１００の設置面との距離を調整することにより、撮影サイズを４倍まで拡大することができる。カメラ１により撮像された撮像情報は、切替部４に送信される。
【００１６】
情報入力部２は、資料出力装置から資料情報が入力される部分であり、例えば、ＵＳＢ端子２Ａや、ＲＧＢ入力端子２Ｂが含まれる。情報入力部２は、資料提示装置１００の筐体１８の側壁１８Ａに設けられている。情報入力部２に入力された資料情報は、切替部４に送信される。ここで、資料出力装置とは、ハーネス４００を介してＲＧＢ入力端子２Ｂに接続されたデジタルカメラ３００である。なお、資料出力装置としては、デジタルカメラ３００の他に、プレゼンテーションを行う際に補助的に用いるパソコン等が挙げられる。
【００１７】
ディスプレイ３は、カメラ１によって撮像された撮像情報及び情報入力部２に入力された資料情報の少なくとも一方に所定の処理が施された画像を、静止画像又は動画像として表示する部分である。ディスプレイ３は、図２（ａ）及び（ｂ）に示すように、ディスプレイ３の外枠となるディスプレイフレーム３Ｄの枠内に設けられている。ディスプレイフレーム３Ｄは、ディスプレイアーム３Ａの一端と、回転軸３Ｂを中心として回転可能に接続されている。また、ディスプレイアーム３Ａの他端は、資料提示装置１００の支持台と、回転軸３Ｃを中心として回転可能に接続されている。資料提示装置１００の支持台は、資料提示装置１００の筐体１８の側壁１８Ａと接続されている。ディスプレイアーム３Ａを上記の回転軸を中心として回転させて、ディスプレイ３を見やすい位置にセッティングすることができる。ディスプレイ３の表示部には、タッチパネル５が取り付けられている。資料提示装置１００の利用者は、ディスプレイ３に表示された情報を視認することができる。
【００１８】
切替部４は、ディスプレイ３に表示すべき情報を、撮像情報、資料情報又はそれらの処理画像に切り替える部分である。すなわち、切替部４により、カメラ１によって撮像された撮像情報を表示させるか、情報入力部２に入力された資料情報を表示させるかを、切り替えることができる。切替部４は、資料提示装置１００が備えるリモートコントローラ（以下、リモコンという。）に入力切替ボタンとして設けられている。ディスプレイ３に撮像情報を表示させるか、資料情報を表示させるかを決定して制御する信号は、制御部１６に送信される。
【００１９】
タッチパネル５は、ディスプレイ３に対する指示の入力を受け付けるパネルである。すなわち、タッチパネル５とは、ディスプレイ３の表面に取り付けられる入力装置であり、感圧式や静電式のものがある。資料提示装置１００の利用者は、図４に示すように、装置に付属の入力用ペン６０を用いてタッチパネル５に触れたりすることによって、ディスプレイ３に対する指示を入力することができる。また、資料提示装置１００の利用者は、入力用ペン６０を用いずに、タッチパネル５に指で直接触れたりすることによって、この指示を入力することも可能である。タッチパネル５には、ディスプレイ３に対する指示各々に対応した機能を有する操作マーク（例えば、上記の切替マーク等）が表示されている。すなわち、タッチパネル５は、ディスプレイ３に表示された撮像情報、資料情報又はそれらの処理画像に対する操作を行う操作マークを含んでいる。これにより、資料提示装置１００の利用者は、この操作マークに触れて選択することにより、その操作マークに対応した機能を実行させることができる。タッチパネル５に入力された指示は、制御部１６に送信される。
【００２０】
重畳部６は、タッチパネル５によって受け付けられた指示を、図形としてディスプレイ３に重畳する部分である。重畳部６は、例えばソフトウェアとして構成されている。重畳部６は、この指示を、矢印や直線や曲線等の図形としてディスプレイ３に重畳する。この矢印の図形の例として、対象を指し示すための矢印型ポインタ等が挙げられる。また、直線の図形の例として、ディスプレイ３上で指定された点を通る水平ライン又は垂直ライン等が挙げられる。また、曲線の図形の例として、資料提示装置１００の利用者によってフリーハンドで描画された曲線等が挙げられる。重畳部６が重畳する図形に関する情報は、制御部１６に送信される。
【００２１】
操作部７は、上述したように、ディスプレイ３に表示された撮像情報、資料情報又はそれらの処理画像に対する操作を行う操作マークのことであり、タッチパネル５に含まれている。操作部７が、資料提示装置１００の利用者から受け付けた操作に関する情報は、タッチパネル５を経由して重畳部６に送信される。
【００２２】
情報出力部８は、ディスプレイ３に表示された撮像情報、資料情報又はそれらの処理画像を、上記の図形と共に画像表示装置に対して出力する部分であり、例えば、ＲＧＢ出力端子８Ａである。情報出力部８は、資料提示装置１００の筐体１８の側壁１８Ａに設けられている。なお、画像表示装置とは、例えば、プレゼンテーションを行う際に補助的に用いるプロジェクタ等である。図５に示すように、資料提示装置１００の情報出力部８とプロジェクタ２００とをケーブルＣによって接続し、例えばカメラ１によって資料Ｄを撮像し、この撮像された撮像情報を、スクリーン２１０に映し出すことができる。なお、スクリーン２１０には、ディスプレイ３に重畳されている矢印型ポインタＰが表示されている。
【００２３】
画像処理部９は、撮像情報及び資料情報の少なくとも一方に所定の処理を施して処理画像を作成する部分である。画像処理部９は、例えばソフトウェアとして構成されている。画像処理部９により、画像の拡大や縮小等を含む画像処理が行われる。画像処理の操作を行うための操作マークは、上述したように、タッチパネル５上に表示されている。画像処理部９によって画像処理された画像処理情報は、制御部１６を介してディスプレイ３に送信され、表示される。
【００２４】
記録部１０は、ディスプレイ３に表示された撮像情報、資料情報又はそれらの処理画像を記録する部分である。記録部１０は、例えばＣＰＵ及びハードディスクを含むコンピュータを主体として構成されている。
【００２５】
編集部１１は、記録部１０によって記録された情報を編集する部分である。編集部１１は、例えばＣＰＵ及び編集用ソフトウェアを含むコンピュータを主体として構成されている。記録部１０内の記録情報に対する、編集部１１による編集に関する情報は、記録部１０に送信される。
【００２６】
音声入力部１２は、撮像情報、資料情報又はそれらの処理画像に対する音声の入力を受け付ける部分であり、例えばマイク入力端子１２Ａ等である。音声入力部１２は、資料提示装置１００の筐体１８の側壁１８Ａに設けられている。音声入力部１２によって入力が受け付けられた音声情報は、制御部１６に送信される。
【００２７】
音声出力部１３は、撮像情報、資料情報又はそれらの処理画像の音声の出力を行う部分であり、例えば音声出力端子１３Ａ等である。音声出力部１３は、資料提示装置１００の筐体１８の側壁１８Ａに設けられている。音声出力部１３とスピーカー（図示せず）とを接続することにより、撮像情報、資料情報又はそれらの処理画像の音声の出力を行うことができる。なお、音声出力部１３は、音声入力部１２による音声入力処理前の撮像情報、資料情報又はそれらの処理画像が有する音声を出力することも可能であり、また、音声入力部１２による音声入力処理後の撮像情報、資料情報又はそれらの処理画像が有する音声を出力することも可能である。
【００２８】
制御部１６は、上記の撮像情報や資料情報をディスプレイ３に表示させるための制御や、上記の撮像情報や資料情報の音声を出力させるための制御等を行う部分である。制御部１６は、例えばＣＰＵ及びメモリを含むコンピュータを主体として構成されている。
【００２９】
第一回動体１７Ａは、筐体１８の側壁１８Ａから突出して設けられると共に、この突出方向（以下、突出方向Ｘとする。）の周りに回動自在に（すなわち、図２の黒矢印で示されるように回転自在に）設けられている筒状の回動体である。ここで、第一回動体１７Ａの突出方向Ｘとは、筒状の第一回動体１７Ａの軸方向を意味する。第一回動体１７Ａの一端は、筐体１８の側壁１８Ａから内部に向けて挿入されている。これにより、第一回動体１７Ａの他端に取り付けられて設けられた物体等を、筐体１８の側壁１８Ａに対して水平な面内で自在に回動させることができる。
【００３０】
第二回動体１７Ｂは、第一回動体１７Ａの他端に設けられると共に、第一回動体１７Ａの突出方向Ｘに対して垂直な方向（以下、例えば対垂直方向Ｚ、又は対水平方向Ｙとする。）の回りに回動自在に（すなわち、図２の白矢印で示されるように回転自在に）投射部１７を支持する筒状の回動体である。ここで、第二回動体１７Ｂの対垂直方向Ｚとは、筒状の第二回動体１７Ｂの軸方向が図２における垂直方向と平行な場合の第二回動体１７Ｂの軸方向を意味し、第二回動体１７Ｂの対水平方向Ｙとは、筒状の第二回動体１７Ｂの軸方向が図２における水平方向と平行な場合の第二回動体１７Ｂの軸方向を意味する。第二回動体１７Ｂの一端において、第一回動体１７Ａの他端が内部に向けて挿入されている。また、第二回動体１７Ｂの他端において、投射部１７が支持されている。なお、第一回動体１７Ａの突出方向Ｘに対して垂直な方向は、突出方向Ｘに対して垂直であれば特に限定されない。
【００３１】
これにより、第二回動体１７Ｂの他端において支持されて設けられた投射部１７を、筐体１８の側壁１８Ａに対して垂直な面内で自在に回動させることができる。すなわち、第二回動体１７Ｂの軸方向が図２における垂直方向と平行な場合は、投射部１７を、対水平方向Ｙ及び突出方向Ｘを含む面内で自在に回動可能である。また、第二回動体１７Ｂの軸方向が図２における水平方向と平行な場合は、投射部１７を、対垂直方向Ｚ及び突出方向Ｘを含む面内で自在に回動可能である。
【００３２】
投射部１７は、ディスプレイ３に表示された撮像情報、資料情報又はそれらの処理画像を、上記の図形と共に投射用のスクリーン２１０や白い壁面等といった被投射領域（すなわち、投射される領域）に対して投射する部分である。投射部１７は、図２（ａ）に示すように、第二回動体１７Ｂの他端と、例えば対垂直方向Ｚを中心として回転可能に接続されている。このため、投射部１７をこの対垂直方向Ｚを中心として回転させることにより、装置１００の周囲に対して投射することが可能となる。また、第二回動体１７Ｂの一端は、第一回動体１７Ａの他端と、突出方向Ｘを中心として回転可能に接続されている。投射部１７は、フォーカスリング（図示せず）を有しており、このリングを回転することにより、スクリーン２１０に対して投射する際のピントを合わせることができる。更に、第一回動体１７Ａを上記の方向Ｘを中心として回転させたり、第二回動体１７Ｂを例えば上記の方向Ｙ，Ｚを中心として回転させたりして、投射部１７による投射の投射方向を調整することにより、様々な場所や方向に向けて投射することができる。
【００３３】
次に、デジタルカメラ３００によって撮像された映像情報に対して画像処理部９が施す画像処理について説明する。
【００３４】
図１に示すように、被写体の映像は、レンズ３０１及びＣＣＤ３０２によって取得され、Ａ／Ｄ変換部３０３によってデジタル化される。デジタル化された映像情報は、画像処理部３０４によって所定の処理が施されてディスプレイ３０６に表示され、場合によっては静止画としてメモリ３０５に記録される。また、デジタルカメラ３００には、ディスプレイ３０６に出力される映像情報が出力されるＲＧＢ出力端子３０７が設けられている。このＲＧＢ出力端子３０７は、ハーネス４００によって資料提示装置１００のＲＧＢ入力端子２Ｂと接続されている。つまり、デジタルカメラ３００のディスプレイ３０６と、資料提示装置１００のディスプレイ３とには、同じ被写体の映像をリアルタイムで表示することが可能となっている。
【００３５】
図６（ａ）は、記録部１０に記憶されていた記録情報とデジタルカメラ３００によって撮像された映像情報とを並列させる場合の画像処理部９の機能ブロック構成図であり、図６（ｂ）は、記録部１０に記憶されていた記録情報とデジタルカメラ３００によって撮像された映像情報とを重畳させる場合の画像処理部９の機能ブロック構成図である。なお、記録情報とは、デジタルカメラ３００によって撮像された映像情報に関連する画像である。そして、映像情報に関連する画像とは、画像処理した後の画像や、映像情報に関連して保存されている画像のことである。また、以下の画像処理では、デジタルカメラ３００よって撮像された映像情報に代えて、カメラ１によって撮像された映像情報を適用してもよい。
【００３６】
図６（ａ）に示すように、記録部１０に記憶されていた記録情報とデジタルカメラ３００によって撮像された映像情報とを並列させる場合、第１の領域表示画像指示部９１が、例えば、記録部１０に記憶されていた記録情報がディスプレイ３の左半分や上半分に表示されるよう指示し、その一方で、第２の領域表示画像指示部９２が、例えば、デジタルカメラ３００によって撮像された映像情報がディスプレイ３の右半分や下半分に表示されるよう指示する。そして、表示領域分割部９３が、第１の領域表示画像指示部９１及び第２の領域表示画像指示部９２で指示された画像を実際に分割表示処理させる。これにより、ディスプレイ３の表示領域には、記録部１０に記憶されていた記録情報とデジタルカメラ３００によって撮像された映像情報とが並列されて表示される。
【００３７】
また、図６（ｂ）に示すように、記録部１０に記憶されていた記録情報とデジタルカメラ３００によって撮像された映像情報とを重畳させる場合、メイン画像スタート位置指定部９４が、例えば、デジタルカメラ３００によって撮像された映像情報をメイン画像としてそのスタート位置を指定し、その一方で、サブ画像スタート位置指定部９５が、例えば、記録部１０に記憶されていた記録情報をサブ画像としてそのスタート位置を指定し、更に、サブ画像透過部９６が、サブ画像を透過画像にする。そして、画像合成部９７が、メイン画像とサブ画像とを合成する。これにより、ディスプレイ３の表示領域には、記録部１０に記憶されていた記録情報とデジタルカメラ３００によって撮像された映像情報とが重畳されて表示される。ここで、メイン画像スタート位置とは、メイン画像の動画を開始させる最初の画像のことであり、サブ画像スタート位置も同様に、サブ画像の動画を開始させる最初の画像のことである。
【００３８】
以上説明したように、資料提示装置１００によれば、カメラ１によって撮像された撮像情報だけでなく、デジタルカメラ３００によって撮像されて情報入力部２に入力された映像情報も、リアルタイムで画像として表示することができる。このとき、デジタルカメラ３００は、カメラ１に比べ移動範囲が広いので、プレゼンテーションや会議等において、撮影位置や撮影対象等の自由度を高めることが可能となる。つまり、利用者は、カメラ１と共に、カメラ１よりもハンドリングの自由度が高いデジタルカメラ３００を用いて、その場で最適な映像情報を取得し、効果的なプレゼンテーションを容易に実現することができる。
【００３９】
また、画像処理部９は、画像処理として、記録部１０に記憶されていた記録情報とデジタルカメラ３００によって撮像された映像情報とを並列させたり、或いは記録部１０に記憶されていた記録情報とデジタルカメラ３００によって撮像された映像情報とを重畳させたりする。これにより、プレゼンテーションや会議等において、記録部１０に記憶されていた記録情報とデジタルカメラ３００によって撮像された映像情報とを比較することが可能となる。
【００４０】
本発明は、上述した実施形態に限定されるものではない。例えば、カメラ１によって撮像された撮像情報や、デジタルカメラ３００によって撮像されて情報入力部２に入力された映像情報を、記録部１０に記録した後にディスプレイ３に表示するようにしてもよい。また、ハーネス４００等を介さずに、無線によって、デジタルカメラ３００から資料提示装置１００の情報入力部２に映像情報を入力するようにしてもよい。
【符号の説明】
【００４１】
１…カメラ（撮像部）、２…情報入力部、３…ディスプレイ（表示部）、９…画像処理部、１０…記録部、１００…資料提示装置、３００…デジタルカメラ。
【図１】
2010245690.tif 000003
【図２】
2010245690.tif 000004
【図３】
2010245690.tif 000005
【図４】
2010245690.tif 000006
【図５】
2010245690.tif 000007
【図６】
2010245690.tif 000008